(57)【特許請求の範囲】
【請求項１】
建物開口部を形成するドア枠と、
前記ドア枠に対して開閉可能に取り付けた扉体と、
前記扉体の戸先側端面に設けたストライクと、
前記ドア枠の戸先側縦枠内に設けた電気錠本体と、
を備えており、
前記電気錠本体は、
前記ストライクに対して電動で係脱するデッドボルトと、
前記戸先側縦枠の室外側面部に露出する鍵穴を備えたシリンダ錠と、
前記戸先側縦枠の室内側面部に露出する施解錠操作部と、
を備えており、
前記戸先側縦枠の室外側面部には、前記シリンダ錠を隠蔽できる幅寸法を備え、当該室外側面部の全高に延びる隠蔽カバーが着脱可能あるいは開閉可能に設けてあり、
前記隠蔽カバーに隣接して、所定の機能要素を前面に備えたパネルが着脱可能あるいは開閉可能に設けてあり、
前記隠蔽カバーは前記パネルと独立して着脱可能あるいは開閉可能である、
電気錠を備えたドア構造。
【請求項２】
前記戸先側縦枠の室外側面部には、カバー取付部材が設けてあり、前記隠蔽カバーの裏面は、前記カバー取付部材に対して着脱可能となっている、
請求項１に記載のドア構造。
【請求項３】
前記パネルは、前記隠蔽カバーと同じ高さ寸法を有し、前記隠蔽カバーに隣接する第１部分と、前記隠蔽カバーから遠い側の第２部分と、からなり、
前記第１部分には、前記機能要素が設けてあり、
前記第２部分の幅寸法は、前記隠蔽カバーの幅寸法とほぼ同じであり、前記隠蔽カバーと前記第２部分が、前記第１部分を挟んで左右対称となっている、
請求項１、２いずれか１項に記載のドア構造。
【請求項４】
前記隠蔽カバーは、高さ方向に複数に分割された複数の分割カバーからなり、少なくとも電気錠本体のシリンダ錠を隠蔽する分割カバーが着脱可能あるいは開閉可能となっている、
請求項１〜３いずれか１項に記載のドア構造。
【発明の詳細な説明】
【技術分野】
【０００１】
本発明は、電気錠を備えたドア装置に関するものである。
【背景技術】
【０００２】
近年、マンションなどの住居への不正侵入・窃盗犯罪が問題となっており、セキュリティ対策が重要となっている。集合住宅の共用部入口であるエントランスのオートロックは常識となっており、専有部である住居玄関入口においては、セキュリティ対策として、カードやキーを扉もしくは壁面へ取り付けたリーダに読み取らせることで施解錠可能となる電気錠システムの採用が進んでいる。
【０００３】
電気錠システムの構成としては、扉体側に設けた電気錠本体からデットボルトが突出して躯体側のストライクに係合してロック状態となるタイプ、躯体側に設けた電気錠本体からデットボルトが突出して扉体側のストライクに係合してロック状態となるタイプが知られている。
【０００４】
このような電気錠システムにおいて、電気錠本体にはシリンダ錠が備わっているが、停電時等の非常時以外はシリンダ錠の鍵穴にキーを差し込んで操作することはないため、シリンダ錠が見えている必要はない。しかしながら、前者の電気錠システムの納まりでは、シリンダ錠が扉体の室外側面部に露出しており、意匠性と防犯性に課題があった。
【０００５】
後者のタイプにおいて、防犯上、電気錠本体のシリンダ錠の鍵穴が外部に露出することがないような構成を採用することが望ましいが、特許文献１、２に開示された構成では、いずれも、いわゆる袖パネル（インターフォン、リーダ、新聞受け等の機能要素を備えている）を利用してシリンダ錠の鍵穴を隠蔽している。
【特許文献１】特許第４６１３１１９号
【特許文献２】特開２００９−３０２７５号
【発明の開示】
【発明が解決しようとする課題】
【０００６】
本発明は、袖パネルないしエントランスパネルを備えたドア装置において、このようなパネルを利用することなく電気錠のシリンダ錠を隠蔽し、美観上・防犯上有利なドア装置を提供することを目的とするものである。
【課題を解決するための手段】
【０００７】
本発明が採用した技術手段は、
建物開口部を形成するドア枠と、
前記ドア枠に対して開閉可能に取り付けた扉体と、
前記扉体の戸先側端面に設けたストライクと、
前記ドア枠の戸先側縦枠内に設けた電気錠本体と、
を備えており、
前記電気錠本体は、
前記ストライクに対して電動で係脱するデッドボルトと、
前記戸先側縦枠の室外側面部に露出する鍵穴を備えたシリンダ錠と、
前記戸先側縦枠の室内側面部に露出する施解錠操作部と、
を備えており、
前記戸先側縦枠の室外側面部には、前記シリンダ錠を隠蔽できる幅寸法を備え、当該室外側面部の全高に延びる隠蔽カバーが着脱可能あるいは開閉可能に設けてあり、
前記隠蔽カバーに隣接して、所定の機能要素を前面に備えたパネルが着脱可能あるいは開閉可能に設けてあり、
前記隠蔽カバーは前記パネルと独立して着脱可能あるいは開閉可能である、
電気錠を備えたドア構造、である。
１つの態様では、戸先側縦枠の室外側面部において、シリンダ錠が露出する面は、全閉姿勢にある扉体の室外側面部よりも室内側に偏倚しており、全閉姿勢にある扉体の室外側面部に対する隠蔽カバーの正面部の室外側への突出寸法を小さくして（あるいは面一として）、スッキリとした意匠としている。
【０００８】
１つの態様では、前記戸先側縦枠の室外側面部には、カバー取付部材が設けてあり、前記隠蔽カバーの裏面は、前記カバー取付部材に対して着脱可能となっている。
典型的には、複数のカバー取付部材が、高さ方向に間隔を存して、前記シリンダ錠の上下に位置して設けてある。
１つの態様では、前記隠蔽カバーは、磁石を用いて、前記カバー取付部材に対して着脱可能に取り付けられる。
【０００９】
１つの態様では、前記パネルは、前記隠蔽カバーと同じ高さ寸法を有し、前記隠蔽カバーに隣接する第１部分と、前記隠蔽カバーから遠い側の第２部分と、からなり、
前記第１部分には、前記機能要素が設けてあり、
前記第２部分の幅寸法は、前記隠蔽カバーの幅寸法とほぼ同じであり、前記隠蔽カバーと前記第２部分が、前記第１部分を挟んで左右対称となっている。
１つの態様では、前記第１部分と前記第２部分は同一の部材から形成されており、高さ方向に延びる溝によって区画される。
１つの態様では、前記第１部分と前記第２部分は別部材から形成されており、例えば、それぞれ、室外側面部に張り付けた第１化粧板、第２化粧板から形成される。
なお、隠蔽カバーは１本物でも、高さ方向に分割されていてもよく、１つの態様では、前記隠蔽カバーは、高さ方向に複数に分割された複数の分割カバーからなり、少なくとも電気錠本体のシリンダ錠を隠蔽する分割カバーが着脱可能あるいは開閉可能となっている。
【発明の効果】
【００１０】
本発明では、戸先側縦枠の室外側面部には、全高に亘って隠蔽カバーを着脱可能あるいは開閉可能に設けて電気錠のシリンダ錠を隠蔽するので、室外側からのシリンダ錠の取付位置の特定及びシリンダ錠の鍵孔へのアクセスを防止することができると共に、通常時はシリンダ錠が室外側に露出することがないので、美観上、防犯上良好である。
本発明では、隠蔽カバーとパネルとは独立して設けられているので、隠蔽カバーはパネルと独立して取り外し、あるいは開閉することができる。例えば、停電が継続した場合に、隠蔽カバーのみを常時取り外し、あるいは開放しておき、シリンダ錠を利用して手動で施解錠することができる。仮にパネル（袖パネルやエントランスパネル）を常時取り外し、あるいは開放させるとすれば、インターフォン等の配線が露出することになり望ましくない。
【図面の簡単な説明】
【００１１】
【図１】第１の実施形態に係るドア装置を室外側から見た正面図である。
【図２】第１の実施形態に係るドア装置を室内側から見た正面図である。
【図３】第１の実施形態に係るドア装置の横断面図であり、上図は、錠前部を示す横断面図、下図は、カバー取付部材を示す横断面図である。
【図４】第１の実施形態に係るドア装置において、隠蔽カバーの取付構成を示す横断面図である。
【図５】第１の実施形態に係るドア装置において、隠蔽カバーの取付構成を示す縦断面図及び正面図である。
【図６】カバー取付部材の部品図である。
【図７】第２の実施形態に係るドア装置を室外側から見た正面図である。
【図８】第２の実施形態に係るドア装置の横断面図である。
【図９】第３の実施形態に係るドア装置を室外側から見た正面図である。
【図１０】第３の実施形態に係るドア装置の横断面図である。
【発明を実施するための形態】
【００１２】
図１は電気錠を備えたドア装置を室外側から見た図、図２は同ドア装置を室内側から見た図、図３は同ドア装置の横断面図である。ドア装置は、建物開口部を形成する枠体と、建物開口部を開閉するように枠体に設けられた扉体１、とからなる。枠体は、上枠２、下枠３、戸先側縦枠４、戸尻側縦枠５、からなる方形状の四周枠（ドア枠）であり、内側に建物開口部を形成しており、枠体の戸先側縦枠４、戸尻側縦枠５の外側（建物開口部から離隔する側）には躯体としての壁体Ｗが備わっている。
【００１３】
扉体１は、室外側面部１０、室内側面部１１、戸先側端面１２、戸尻側端面１３、を備えている。扉体１の室外側面部１０及び室内側面部１１には、戸先側に近接して、扉体１の高さの略中央部位に位置して取手１４が設けてある。扉体１の室内側面部１１の上方にはドアクローザ１５が設けてある。扉体１は、開き戸であり、戸尻側部位を、吊金具（丁番、ピボットヒンジ等）１６を用いて戸尻側縦枠５に対して回動自在に装着することで建物開口部を開閉可能になっている。
【００１４】
電気錠は、デッドボルト６１を備えた電気錠本体６と、デッドボルト６１を受け入れるストライク７と、からなり、電気錠本体６は、戸先側縦枠４の内部空間に設けてあり、ストライク７は、扉体１の戸先側端面１２に設けてある。戸先側縦枠４は、室外側面部（室外側見付面）４０、室内側面部（室内側見付面）４１、開口部に面する内側の側面部（見込面）４２と、開口部から遠い側に位置する外側の側面部４３と、を備えており、内部は中空状となっている。
【００１５】
戸先側縦枠４の内部には、電気錠本体（図示しない配線を含む）のみが設けてある。図示の態様では、戸先側縦枠４には、高さ方向に間隔を存して２つの電気錠本体６が設けてあり、扉体１の戸先側端面１２には、高さ方向に間隔を存して２つのストライク７が設けてある。
【００１６】
電気錠本体６は、本体ケース６０と、デッドボルト６１と、シリンダ錠６２と、施解錠操作部として例示するサムターン６３と、を備えている。開口部全閉時において、電気錠本体６のデッドボルト６１を扉体１側のストライク７に対して電気的に出没させて、デッドボルト６１をストライク７に対して係脱させることで、施錠・解錠を行う。図示の例では、デッドボルト６１は水平方向に往復動するものであるが、回動するデッドボルトでもよい。シリンダ錠６２の鍵穴は、戸先側縦枠４の室外側面部４０から露出しており、サムターン６３は、戸先側縦枠４の室内側面部４１から室内空間に露出している。停電時等の非常時には、シリンダ錠６２の鍵穴からキー操作をすることで、室外側からデッドボルト６１をストライク７に対して手動で係脱させることができる。
【００１７】
図１〜図４に示す態様では、戸先側縦枠４の室外側面部４０は、主面部４００と、主面部４００の外側（開口部から離間する側）に形成された凸部４０１とから段部状となっており、シリンダ錠６２は、主面部４００において露出している。建物開口部に近い側の側面部（見込面）４２は、室外側に位置する第１面部４２０と、室内側に位置する第２面部４２１とからなり、全閉姿勢の扉体１の戸先側端面１２は、第１面部４２０に近接対向しており、デッドボルト６１は、第１面部４２０から出没するようになっている。なお、第１面部４２０には、扉体１の取手１４の動きに連動して出没するラッチ（図示せず）のストライクが設けられる。図３に示すように、戸先側縦枠４の室外側面部４０の主面部４００は、全閉姿勢の扉体１の室外側面部１０よりも室内側に位置しており、主面部４００の内側（建物開口部寄り）の端部には、第１面部４２０を越えて延出する扉体１の戸先側端面１２の室外側の突部１２０が、近接対向している。
【００１８】
戸先側縦枠４の室外側面部４０には、室外側面部４０を覆うように隠蔽カバー８が着脱可能に設けてある。隠蔽カバー８は、戸先側縦枠４の室外側面部４０の全高に亘って延びる高さ寸法を備えており、少なくとも、室外側面部４０から突出するシリンダ錠６２を覆うような幅寸法（見付寸法）・奥行寸法（見込寸法）を備えている。隠蔽カバー８は、正面部８０と、側面部８１、側面部８２と、から断面視コ字形状を有しており、本実施形態では、主面部４００を覆うような高さ寸法・幅寸法を備えている。隠蔽カバー８の側面部８１は、全閉姿勢の扉体１の突部１２０に寄った位置にあり、側面部８２は、凸部４０１の立ち上がり面４０２に寄った位置にある。なお、図示の態様では、隠蔽カバー８の側面部８１の端縁には当接片８１０が折曲形成されており、主面部４００に設けた被当接部材としてのスポンジ４０３に密着するようになっている（図４上図参照）。隠蔽カバー８の正面部８０は、全閉姿勢の扉体１の室外側面部１０と面一か、あるいは、室外側面部１０よりも室外側へ出っ張っている。
【００１９】
本実施形態では、隠蔽カバー８は、磁石Ｍを用いて、戸先側縦枠４の室外側面部４０に着脱可能に取り付けられる。より具体的には、戸先側縦枠４の室外側面部４０の主面部４００には、カバー取付部材１７、１８が設けてあり、隠蔽カバー８は、カバー取付部材１７、１８を介して、戸先側縦枠４の室外側面部４０に取り付けられる。なお、本実施形態では、２種類のカバー取付部材１７、１８を用いているが、統一した１種類のカバー取付部材を用いてもよい。
【００２０】
カバー取付部材１７は、横長の長方形状のプレート１７０と、プレート１７０の前面に設けた磁石Ｍと、からなり、主面部４００の上端に設けた台座１７１に（例えば、図示しない螺子を用いて）固定される。隠蔽カバー８の正面部８０の上端は室内側に向かって折曲して引掛片が形成されており、引掛片をカバー取付部材１７に引掛けている。なお、カバー取付部材１７は磁石を備えていなくてもよい。
【００２１】
カバー取付部材１８は、垂直状の面部１８０と、面部１８０の上下に一体形成した断面視Ｌ字形状の脚部と、から側面視ハット型を備えており、面部１８０の前面には磁石Ｍが設けてある。カバー取付部材１８の脚部は、面部１８０の上下から水平状に延びる水平部１８１と、上側の水平部から垂直状に上側、下側にそれぞれ延びる垂直部１８２と、からなり、垂直部１８２を主面部４００に当接させて（例えば、図示しない螺子を用いて）固定される。カバー取付部材１８は、主面部４００の高さ方向に間隔を存して、各シリンダ錠６２の上側、下側に位置するように、複数個配置されている。カバー取付部材１７の磁石Ｍ、複数のカバー取付部材１８の磁石Ｍは、同一垂直面上に位置している。
【００２２】
隠蔽カバー８は、スチール等の磁性体から形成されており、隠蔽カバー８の正面部８０の裏面を高さ方向に間隔を存して配置した複数の磁石Ｍに磁着するようになっている。隠蔽カバー８が非磁性体の場合には、カバー取付部材１７、１８を磁性体から形成して、隠蔽カバー８に磁石を固定してもよい。なお、隠蔽カバー８を着脱可能に戸先側縦枠４の室外側面部４０に設ける手段は、マグネット方式に限定されるものではなく、嵌合方式、係合方式、螺子止め（この場合は螺子頭を隠蔽することが望まし）等であってもよい。また、隠蔽カバーを丁番開閉式（隠し丁番が望ましい）としてもよい。隠蔽カバー８の幅方向のいずれか一方あるいは両方の端部に隙間が無い場合には（図示の態様では、建物開口部から遠い側の側面部８２の外側にパネル９が隣接している）、回動方式ではなく着脱方式が有利に採用される。
【００２３】
本実施形態では、戸先側縦枠４の室外側面部４０の主面部４００に、全高に亘って隠蔽カバー８を着脱可能に設けて電気錠のシリンダ錠６２を隠蔽するので、通常時には、室外側からのシリンダ錠６２の取付位置の特定及びシリンダ錠６２の鍵孔へのアクセスを防止した。より具体的には、シリンダ錠６２の鍵孔が室外側に露出しないことによりピッキングに対して有効であり、室外側からのシリンダ錠６２の取付位置の特定ができないことで、バール等のこじ開けに対して有効である。停電時等の非常時には、隠蔽カバー８を取り外すことで、室外側から手動で電気錠を施錠・解錠できるものでありながら、通常時はシリンダ錠６２が室外側に露出することがないので、美観上、防犯上良好である。
【００２４】
壁体Ｗの屋外側には、隠蔽カバー８の外側（建物開口部から離間する側）に隣接して、機能要素を備えたパネル９（図示の態様では、エントランスパネル）が着脱可能に設けてある。パネル９は、正面部９０と、側面部９１と、側面部９２、とから断面視コ字形状を有している。パネル９の正面部９０の建物開口部寄りの端部は、戸先側縦枠４の室外側面部４０の凸部４０１を越えて延びており、パネル９の側面部９１の外面は、隠蔽カバー８の側面部８２に近接し、側面部９１の内面は、戸先側縦枠４の室外側面部４０の凸部４０１の立ち上がり面４０２に対向している。
【００２５】
パネル９は、戸先側縦枠４と同じ高さ寸法、すなわち、隠蔽カバー８と同じ高さ寸法を備えている。パネル９の正面部９０には、所定の複数の機能要素が設けてり、図１の例では、機能要素として、上から順に、照明９３、室名札９４、インターフォンパネル９５、リーダ９６、新聞受け９７を備えている。なお、機能要素の種類は、これらに限定されるものではない。
【００２６】
パネル９は、壁体Ｗに対して着脱可能となっており、パネル９を取り外すことで、取配線やメンテナンスを容易に行うことができる。パネル９を壁体Ｗに対して着脱可能とする構成は限定されず、マグネット方式、嵌合方式、係合方式、螺子止め（この場合は螺子頭を隠蔽することが望まし）が例示される。また、パネル９を丁番開閉式（隠し丁番が望ましい）としてもよい。
【００２７】
本実施形態では、隠蔽カバー８とパネル９とは独立して設けられているので、隠蔽カバー８はパネル９と独立して取り外すことができる。例えば、停電が継続した場合に、パネル９を開放することなく、隠蔽カバー８のみを常時取り外し、あるいは開放しておき、手動でシリンダ錠６２を利用して施解錠することができる。仮にパネル９を常時開放させるとすれば、インターフォン等の配線が露出することになり望ましくない。
【００２８】
図７、図８に基づいて、第２の実施形態について説明する。第１の実施形態と同一の構成要素については同一の参照番号が付してあり、適宜、第１の実施形態の説明を援用することができる。戸先側縦枠４の室外側面部４０には、電気錠本体６のシリンダ錠６２が露出しており、室外側面部４０の全高に亘って隠蔽カバー８が着脱可能に設けてあり、シリンダ錠６２が隠蔽されている（図７参照）。
【００２９】
隠蔽カバー８に隣接してパネル９（図示の態様では、袖パネル）が設けてある。パネル９は、隠蔽カバー８と同じ高さ寸法を有し、パネル９の面部は、隠蔽カバー８に隣接する第１部分９００と、隠蔽カバー８から遠い側の第２部分９０１と、からなる。第１部分９００は第２部分９０１よりも大きい幅寸法を有し、第１部分９００には、機能要素が設けてある。第２部分９０１の幅寸法は、隠蔽カバー８の幅寸法と同じである。図８に示すように、隠蔽カバー８の正面部８０と、パネル９の面部（第１部分９００、第２部分９０１）は、面一である。なお、第１部分９００が第２部分９０１に対して凹んだり（室内側に偏倚）あるいは出っ張ったり（室外側に偏倚）していてもよい。
【００３０】
パネル９の第１部分９００と第２部分９０１は、全高に亘って高さ方向に延びる溝９０２によって区画されており、第１部分９００と第２部分９０１は、正面視において識別可能である。隠避カバー８の側面部８２と、パネル９の側面部９１との間には、溝９０２と同幅の溝９０３が全高に亘って形成されており、隠蔽カバー８と第１部分９００は、正面視において識別可能である。
【００３１】
図７に示すように、室外側から見た正面視において、パネル９の第１部分９００を挟んで、両側の隠蔽カバー８の正面部８０、第２部分９０１が対称状の意匠となっており、戸先側縦枠４内に電気錠本体６が隠蔽されていることに気づきにくくすると共に、ドア枠の意匠性も高めることができる。なお、図７における斜線は、隠蔽カバー８の位置を示すために便宜的に付したものである。
【００３２】
図９、図１０に基づいて、第３の実施形態について説明する。第１の実施形態と同一の構成要素については同一の参照番号が付してあり、適宜、第１の実施形態の説明を援用することができる。戸先側縦枠４の室外側面部４０には、電気錠本体６のシリンダ錠６２が露出しており、室外側面部４０の全高に亘って隠蔽カバー８が着脱可能に設けてあり、シリンダ錠６２が隠蔽されている（図９参照）。第３の実施形態では、戸先側縦枠４は大きい幅寸法を備えており、壁パネルを形成している。
【００３３】
隠蔽カバー８に隣接してパネル９（図示の態様では、袖パネル）が設けてある。パネル９は、隠蔽カバー８と同じ高さ寸法を有し、パネル９の面部は、隠蔽カバー８に隣接する第１部分９００と、隠蔽カバー８から遠い側の第２部分９０１´と、からなる。第１部分９００は第２部分９０１´よりも大きい幅寸法を有し、第１部分９００には、機能要素が設けてある。第２部分９０１´の幅寸法は、隠蔽カバー８の幅寸法と同じである。図１０に示すように、隠蔽カバー８の正面部８０と、パネル９の第２部分９０１´は、面一であり、第１部分９００は、隠蔽カバー８の正面部８０及び第２部分９０１´よりも室内側に少し凹んでいる。
【００３４】
第１部分９００は、パネル９の正面部９０に張り付けた第１化粧板からなり、第２部分９０１´は、パネル９の正面部９０に張り付けた第２化粧板からなり、第２化粧板は第１化粧板に対して室外側に位置している。第１部分９００と第２部分９０１´は、全高に亘って高さ方向に延びる第２化粧板の縁部あるいは第１化粧板の縁部によって、正面視において識別可能である。隠蔽カバー８と第１部分９００は、全高に亘って高さ方向に延びる隠避カバー８の側面部８２あるいは第１化粧板の縁部によって、正面視において識別可能である。
【００３５】
図９に示すように、室外側から見た正面視において、袖パネル９の第１部分９００を挟んで、両側の隠蔽カバー８の正面部８０、第２部分９０１´が対称状の意匠となっており、戸先側縦枠４内に電気錠本体６が隠蔽されていることに気づきにくくすると共に、ドア枠の意匠性も高めることができる。
【００３６】
上記実施形態では、高さ方向に１本物の隠蔽カバー８を示したが、隠蔽カバー８は、高さ方向に複数に分割されていてもよい。例えば、隠蔽カバー８を高さ方向に３つに分割して、３つの分割カバーが戸先側縦枠の室外側面部の全高に対応するものでもよい。この態様では、少なくとも、電気錠本体に対応する分割カバーである中央の分割カバーが着脱可能あるいは開閉可能となっていればよい。第２実施形態、第３実施形態の隠蔽カバー８を分割する場合には、分割されたカバーのデザインに整合させるように、第２部分９０１、９０１´を分割してもよい。
【符号の説明】
【００３７】
１  扉体
１２  戸先側端面
４  戸先側縦枠
６  電気錠本体
６１  デッドボルト
６２  シリンダ錠
６３  サムターン（施解錠操作部）
７  ストライク
８  隠蔽カバー
９  パネル（エントランスパネル、袖パネル）
９００  第１部分
９０１  第２部分
１７  カバー取付部材
１８  カバー取付部材
【図１】
0006541534.tif 000002
【図２】
0006541534.tif 000003
【図３】
0006541534.tif 000004
【図４】
0006541534.tif 000005
【図５】
0006541534.tif 000006
【図６】
0006541534.tif 000007
【図７】
0006541534.tif 000008
【図８】
0006541534.tif 000009
【図９】
0006541534.tif 000010
【図１０】
0006541534.tif 000011